(57)【要約】【課題】二次電池モジュールの運用態様に応じて、将来的に高温になる蓋然性が高い二次電池モジュールを優先的に冷却する。【解決手段】制御盤１３０は、二次電池モジュール１４０のうち少なくとも２つ以上の二次電池モジュール１４０の温度を取得する。次に、制御盤１３０は、第１の時間における二次電池モジュール１４０の温度変化率である第１の温度変化率を算出する。次に、制御盤１３０は、第１の温度変化率に応じた評価時間を第２の時間として特定する。次に、制御盤１３０は、第２の時間における二次電池モジュール１４０の温度変化率である第２の温度変化率を算出する。次に、制御盤１３０は、二次電池モジュール１４０の温度と第２の温度変化率とに基づいて、第３の時間の経過後の二次電池モジュール１４０それぞれの温度を推定する。そして、制御盤１３０は、推定した温度に基づいて二次電池モジュールの冷却を指示する。【選択図】図１
2015056373.tif 000002
【特許請求の範囲】
【請求項１】
冷却装置によって冷却可能な複数の二次電池モジュールのうち少なくとも２つ以上の二次電池モジュールの温度を取得する温度取得部と、
所定の第１の時間における前記二次電池モジュールから取得した前記温度の変化に係る物理量である第１の物理量を算出する第１の物理量算出部と、
前記第１の物理量に応じた評価時間を第２の時間として特定する時間特定部と、
前記第２の時間における前記二次電池モジュールから取得した前記温度の変化に係る物理量である第２の物理量を算出する第２の物理量算出部と、
前記二次電池モジュールから取得した前記温度と前記第２の物理量とに基づいて、所定の第３の時間の経過後の前記二次電池モジュールの温度を推定する温度推定部と、
前記温度推定部が推定した前記温度に基づいて、前記二次電池モジュールの前記冷却装置による冷却対象優先度を決定する冷却決定部と、
前記冷却装置に冷却対象優先度の最も高い二次電池モジュールの冷却を指示する冷却指示部と
を備えることを特徴とする冷却制御装置。
【請求項２】
前記時間特定部は、前記第１の物理量に対して単調非増加する評価時間を特定する少なくとも１つの関数に基づいて、前記第２の時間を特定する
ことを特徴とする請求項１に記載の冷却制御装置。
【請求項３】
前記時間特定部は、前記第１の物理量算出部が少なくとも２つ以上の前記二次電池モジュールから同じタイミングで取得した前記温度の前記第１の時間における変化に係る物理量のうち最大のものを前記第１の物理量として算出する
ことを特徴とする請求項１または請求項２に記載の冷却制御装置。
【請求項４】
前記第３の時間は前記二次電池モジュールの充電継続可能時間または前記二次電池モジュールの放電継続可能時間であることを特徴とする請求項１から請求項３の何れか１項に記載の冷却制御装置。
【請求項５】
前記冷却決定部は、前記温度推定部が推定した前記温度が最大である前記二次電池モジュールの冷却対象優先度を、他の前記二次電池モジュールの冷却対象優先度より高くする
ことを特徴とする請求項１から請求項４の何れか１項に記載の冷却制御装置。
【請求項６】
前記冷却決定部は、前記二次電池モジュールから取得した前記温度の平均値を前記温度推定部が推定した前記温度から減じた値が所定の温度閾値より大きい前記二次電池モジュールの冷却対象優先度を、他の前記二次電池モジュールの冷却対象優先度より高くする
ことを特徴とする請求項１から請求項４の何れか１項に記載の冷却制御装置。
【請求項７】
前記二次電池モジュールの運用態様の入力を受け付ける態様入力部と、
前記運用態様毎に、前記第１の物理量に対して単調非増加する複数の関数を関連付けて記憶する関数記憶部と
を備え、
前記時間特定部は、前記関数記憶部が記憶する前記複数の関数のうち、前記態様入力部の運転態様から前記関数に基づいて、前記第２の時間を特定する
ことを特徴とする請求項１から請求項６の何れか１項に記載の冷却制御装置。
【請求項８】
前記第２の物理量が所定の物理量閾値より大きい場合、前記第１の時間をより短い時間に変更する時間変更部
を備えることを特徴とする請求項１から請求項７の何れか１項に記載の冷却制御装置。
【請求項９】
前記冷却決定部は、前記冷却指示部が前記冷却装置に冷却対象優先度の最も高い二次電池モジュールの冷却を指示した後の所定の保持時間経過後に、再度、前記二次電池モジュールの前記冷却装置による冷却対象優先度を決定する
ことを特徴とする請求項１から請求項８の何れか１項に記載の冷却制御装置。
【請求項１０】
複数の二次電池モジュールと、
前記複数の二次電池モジュールのうち少なくとも１つに送風して前記二次電池モジュールを冷却する冷却装置と、
請求項１から請求項９の何れか１項に記載の冷却制御装置と
を備え、
前記冷却装置は、送風方向を前記冷却決定部が決定した冷却対象優先度が最も高い前記二次電池モジュールが存在する方向へ向ける
ことを特徴とする二次電池システム。
【請求項１１】
前記複数の二次電池モジュールの少なくとも１つに空気を送風する複数の冷却部を備え、
前記複数の冷却部のうち、前記冷却対象優先度が最も高い前記二次電池モジュールを冷却する前記冷却部は、他の前記冷却部より多い送風量で前記二次電池モジュールへ送風する
ことを特徴とする請求項１０に記載の二次電池システム。
【請求項１２】
冷却装置によって冷却可能な複数の二次電池モジュールのうち少なくとも２つ以上の二次電池モジュールの温度を取得するステップと、
所定の第１の時間における少なくとも１つの前記二次電池モジュールから取得した前記温度の変化に係る物理量である第１の物理量を算出するステップと、
前記第１の物理量に応じた評価時間を第２の時間として特定するステップと、
前記第２の時間における前記二次電池モジュールから取得した前記温度の変化に係る物理量である第２の物理量を算出するステップと、
前記二次電池モジュールから取得した前記温度と前記第２の物理量とに基づいて、所定の第３の時間の経過後の前記二次電池モジュールの温度を推定するステップと、
推定した前記温度に基づいて、前記二次電池モジュールの前記冷却装置による冷却対象優先度を決定するステップと
前記冷却装置に冷却対象優先度の最も高い二次電池モジュールの冷却を指示するステップと
を備えることを特徴とする冷却制御方法。
【請求項１３】
コンピュータを、
冷却装置によって冷却可能な複数の二次電池モジュールのうち少なくとも２つ以上の二次電池モジュールの温度を取得する温度取得部、
所定の第１の時間における前記二次電池モジュールから取得した前記温度の変化に係る物理量である第１の物理量を算出する第１の物理量算出部、
前記第１の物理量に応じた評価時間を第２の時間として特定する時間特定部、
前記第２の時間における前記二次電池モジュールから取得した前記温度の変化に係る物理量である第２の物理量を算出する第２の物理量算出部、
前記二次電池モジュールから取得した前記温度と前記第２の物理量とに基づいて、所定の第３の時間の経過後の前記二次電池モジュールの温度を推定する温度推定部、
前記温度推定部が推定した前記温度に基づいて、前記二次電池モジュールの前記冷却装置による冷却対象優先度を決定する冷却決定部、
前記冷却装置に冷却対象優先度の最も高い二次電池モジュールの冷却を指示する冷却指示部
として機能させるためのプログラム。
【発明の詳細な説明】
【技術分野】
【０００１】
本発明は、冷却制御装置、二次電池システム、冷却制御方法及びプログラムに関する。
【背景技術】
【０００２】
リチウムイオン二次電池などの二次電池は、充放電を行うことにより発熱することが知られている。また、このような二次電池を繰り返し使用することにより二次電池の劣化が進み易くなる。このため、発熱を抑制するため、例えば複数の二次電池を格納する二次電池モジュールは、冷却ファンを備え、当該冷却ファンを回転させることで二次電池を冷却する。また、コンテナの内部に複数の二次電池モジュールを配置し、コンテナに設けられた送風装置によって二次電池モジュールに送風するものもある。
【０００３】
他方、冷却ファンや送風装置を常に動作させることは、省エネルギーの観点から好ましくない。そのため、二次電池モジュールの温度が所定の閾値を超えたときに冷却を開始し、または供給冷媒量を増加させる技術が知られている（例えば、特許文献１を参照）。
【先行技術文献】
【特許文献】
【０００４】
【特許文献１】特開２００７−１４１５５８号公報
【発明の概要】
【発明が解決しようとする課題】
【０００５】
しかしながら、特許文献１に記載の方法で二次電池モジュールの冷却を制御する場合、二次電池モジュールの温度が閾値を超えたか否かの判定に基づいて冷却を行うため、現時点での温度は閾値に満たないものの温度変化が高いために、将来的に高温になる蓋然性が高い二次電池モジュールの冷却が遅れ、このような二次電池モジュールの劣化を防ぐことができない可能性がある。
【０００６】
また、二次電池モジュールの運用態様には、スピニングリザーブや、自然エネルギー発電の出力平滑化など、様々な種類がある。なお、スピニングリザーブとは、発電所のトラブルによる停止や負荷の急激な増加などによる電力需給の急な変化に対応することをいう。また、自然エネルギー発電の出力平滑化とは、自然エネルギーによって発電した電力の時間的な変動を低減させることをいう。
【０００７】
例えば二次電池モジュールをスピニングリザーブの目的で運用する場合、二次電池モジュールは短時間に大きな電力を出力することが求められる。他方、二次電池モジュールを自然エネルギー発電の出力平滑化に用いる場合、二次電池モジュールは瞬間的な大きな電力及び小さな電力を長時間に亘って充放電することが求められる。つまり、二次電池モジュールの運用態様によって二次電池モジュールの温度変化の傾向は異なる。
しかしながら、特許文献１に記載の方法で二次電池モジュールの冷却を制御する場合、二次電池モジュールの運用態様に応じた過不足を少なくした適切な冷却を行うことができないという問題がある。
【０００８】
本発明の目的は、二次電池モジュールの運用態様に応じて、将来的に高温になる蓋然性が高い二次電池モジュールを優先的に冷却することができる冷却制御装置、二次電池システム、冷却制御方法及びプログラムを提供することにある。
【課題を解決するための手段】
【０００９】
第１の態様は、冷却装置によって冷却可能な複数の二次電池モジュールのうち少なくとも２つ以上の二次電池モジュールの温度を取得する温度取得部と、所定の第１の時間における前記二次電池モジュールから取得した前記温度の変化に係る物理量である第１の物理量を算出する第１の物理量算出部と、前記第１の物理量に応じた評価時間を第２の時間として特定する時間特定部と、前記第２の時間における前記二次電池モジュールから取得した前記温度の変化に係る物理量である第２の物理量を算出する第２の物理量算出部と、前記二次電池モジュールから取得した前記温度と前記第２の物理量とに基づいて、所定の第３の時間の経過後の前記二次電池モジュールの温度を推定する温度推定部と、前記温度推定部が推定した前記温度に基づいて、前記二次電池モジュールの前記冷却装置による冷却対象優先度を決定する冷却決定部と、前記冷却装置に冷却対象優先度の最も高い二次電池モジュールの冷却を指示する冷却指示部とを備えることを特徴とする冷却制御装置である。
【００１０】
また、第２の態様は、第１の態様において、前記時間特定部は、前記第１の物理量に対して単調非増加する評価時間を特定する少なくとも１つの関数に基づいて、前記第２の時間を特定することを特徴とする冷却制御装置である。
【００１１】
また、第３の態様は、第１または第２の態様において、前記第１の物理量算出部は、少なくとも２つ以上の前記二次電池モジュールから同じタイミングで取得した前記温度の前記第１の時間における変化に係る物理量のうち最大のものを、前記第１の物理量として算出することを特徴とする冷却制御装置である。
【００１２】
また、第４の態様は、第１から第３の何れかの態様において、前記第３の時間は前記二次電池モジュールの充電継続可能時間または前記二次電池の放電継続可能時間であることを特徴とする冷却制御装置である。
【００１３】
また、第５の態様は、第１から第４の何れかの態様において、前記冷却決定部は、前記温度推定部が推定した前記温度が最大である前記二次電池モジュールの冷却対象優先度を、他の前記二次電池モジュールの冷却対象優先度より高くすることを特徴とする冷却制御装置である。
【００１４】
また、第６の態様は、第１から第４の何れかの態様において、前記冷却決定部は、前記二次電池モジュールから取得した前記温度の平均値を前記温度推定部が推定した前記温度から減じた値が所定の温度閾値より大きい前記二次電池モジュールの冷却対象優先度を、他の前記二次電池モジュールの冷却対象優先度より高くすることを特徴とする冷却制御装置である。
【００１５】
また、第７の態様は、第１から第６の何れかの態様において、前記二次電池モジュールの運用態様の入力を受け付ける態様入力部と、前記運用態様毎に、前記第１の物理量に対して単調非増加する複数の関数を関連付けて記憶する関数記憶部とを備え、前記時間特定部は、前記関数記憶部が記憶する前記複数の関数のうち、前記態様入力部の運転態様から前記関数に基づいて、前記第２の時間を特定することを特徴とする冷却制御装置である。
【００１６】
また、第８の態様は、第１から第７の何れかの態様において、前記第２の物理量が所定の物理量閾値より大きい場合、前記第１の時間をより短い時間に変更する時間変更部を備えることを特徴とする冷却制御装置である。
【００１７】
また、第９の態様は、第１から第８の何れかの態様において、前記冷却決定部は、前記冷却指示部が前記冷却装置に冷却対象優先度の最も高い二次電池モジュールの冷却を指示した後の所定の保持時間経過後に、再度、前記二次電池モジュールの前記冷却装置による冷却対象優先度を決定することを特徴とする冷却制御装置である。
【００１８】
また、第１０の態様は、複数の二次電池モジュールと、前記複数の二次電池モジュールのうち少なくとも１つに送風して前記二次電池モジュールを冷却する冷却装置と、第１から第９の何れかの態様に記載の冷却制御装置とを備え、前記冷却装置は、送風方向を前記冷却決定部が決定した冷却対象優先度が最も高い前記二次電池モジュールが存在する方向へ向けることを特徴とする二次電池システムである。
【００１９】
また、第１１の態様は、第１０の態様において、前記複数の二次電池モジュールの少なくとも１つに空気を送風する複数の冷却部を備え、前記複数の冷却部のうち、冷却対象優先度が最も高い前記二次電池を冷却する前記冷却部は、他の前記冷却部より多い送風量で前記二次電池へ送風することを特徴とする二次電池システムである。
【００２０】
また、第１２の態様は、冷却装置によって冷却可能な複数の二次電池モジュールのうち少なくとも２つ以上の二次電池モジュールの温度を取得するステップと、所定の第１の時間における少なくとも１つの前記二次電池モジュールから取得した前記温度の変化に係る物理量である第１の物理量を算出するステップと、前記第１の物理量に応じた評価時間を第２の時間として特定するステップと、前記第２の時間における前記二次電池モジュールから取得した前記温度の変化に係る物理量である第２の物理量を算出するステップと、前記二次電池モジュールから取得した前記温度と前記第２の物理量とに基づいて、所定の第３の時間の経過後の前記二次電池モジュールの温度を推定するステップと、推定した前記温度に基づいて、前記二次電池モジュールの前記冷却装置による冷却対象優先度を決定するステップと前記冷却装置に冷却対象優先度の最も高い二次電池モジュールの冷却を指示するステップとを備えることを特徴とする冷却制御方法である。
【００２１】
また、第１３の態様は、コンピュータを、冷却装置によって冷却可能な複数の二次電池モジュールのうち少なくとも２つ以上の二次電池モジュールの温度を取得する温度取得部、所定の第１の時間における前記二次電池モジュールから取得した前記温度の変化に係る物理量である第１の物理量を算出する第１の物理量算出部、前記第１の物理量に応じた評価時間を第２の時間として特定する時間特定部、前記第２の時間における前記二次電池モジュールから取得した前記温度の変化に係る物理量である第２の物理量を算出する第２の物理量算出部、前記二次電池モジュールから取得した前記温度と前記第２の物理量とに基づいて、所定の第３の時間の経過後の前記二次電池モジュールの温度を推定する温度推定部、前記温度推定部が推定した前記温度に基づいて、前記二次電池モジュールの前記冷却装置による冷却対象優先度を決定する冷却決定部、前記冷却装置に冷却対象優先度の最も高い二次電池モジュールの冷却を指示する冷却指示部として機能させるためのプログラムである。
【発明の効果】
【００２２】
上記態様によれば、冷却制御装置は、第１の時間における二次電池モジュールの温度変化から二次電池モジュールの運用態様に応じた評価時間である第２の時間を特定し、当該第２の時間に基づいて推定された二次電池モジュールの未来の温度に基づいて冷却対象優先度を決定する。これにより、上記態様に係る冷却制御装置は、二次電池モジュールの運用態様に応じて、将来的に高温になる蓋然性が高い二次電池モジュールを優先的に冷却することができる。
【図面の簡単な説明】
【００２３】
【図１】少なくとも１つの実施形態に係る二次電池システムを示す立断面図である。
【図２】第１の実施形態に係る制御盤の構成を示す概略ブロック図である。
【図３】時間特定部が第２の時間の特定に用いる関数の一例を示す図である。
【図４】第１の実施形態に係る制御盤による冷却制御動作を示すフローチャートである。
【図５】第１の実施形態に係る制御盤による冷却対象優先度の決定方法の一例を示す図である。
【図６】第２の実施形態に係る制御盤の構成を示す概略ブロック図である。
【図７】第２の実施形態に係る制御盤による冷却制御動作を示すフローチャートである。
【図８】第３の実施形態に係る制御盤の構成を示す概略ブロック図である。
【図９】第４の実施形態に係る制御盤の構成を示す概略ブロック図である。
【図１０】第５の実施形態に係る制御盤の構成を示す概略ブロック図である。
【図１１】少なくとも１つの実施形態に係るコンピュータの構成を示す概略ブロック図である。
【発明を実施するための形態】
【００２４】
《第１の実施形態》
以下、図面を参照しながら第１の実施形態について詳しく説明する。
図１は、少なくとも１つの実施形態に係る二次電池システム１００を示す立断面図である。
第１の実施形態に係る二次電池システム１００は、その外殻を構成する筐体としてのコンテナ１１０を備える。二次電池システム１００は、外殻がコンテナ１１０で構成されることにより、フォークリフトやクレーンなどで持ち上げることができ、トレーラーや鉄道のコンテナ車、船舶などに搭載されて運搬することができる。なお、図１に示す立断面図において、紙面奥行方向は、コンテナ１１０の長手方向に相当する。
【００２５】
コンテナ１１０の天井部１１１には、側壁側に空調装置１２０からの冷却空気をコンテナ１１０内に供給する一対の給気ダクト１１３が設けられている。また、コンテナ１１０の天井部１１１には、一対の給気ダクト１１３の間に、コンテナ１１０の空気を空調装置１２０に向けて排気する排気ダクト１１４が設けられている。空調装置１２０は、制御盤１３０から送信される指示に従って、コンテナ１１０内から排気された空気を冷却して再度コンテナ１１０内に供給する。なお、本実施形態における制御盤１３０は、冷却制御装置の一例である。
【００２６】
コンテナ１１０内部には、同形状の複数のラック１１５が設置されている。複数のラック１１５は、コンテナ１１０の長手方向に伸びるコンテナ１１０の側壁部１１２の内壁面に沿って、コンテナ１１０の側壁部１１２との間に所定の隙間１１６をあけて設置されている。また、一対の給気ダクト１１３の下部には、コンテナ１１０の側壁部１１２とラック１１５との間の隙間１１６に空気を吹き出すスリット１１７が開口している。つまり、コンテナ１１０の側壁部１１２とラック１１５の間には、空調装置１２０で冷却した冷却空気が供給される。
【００２７】
また、スリット１１７にはルーバー１１８が設けられており、冷却空気の供給方向は、当該ルーバー１１８により規定される。なお、制御盤１３０から送信される指示に従って、空調装置１２０を制御し、ルーバー１１８の角度を調整する。これにより、空調装置１２０は、ルーバー１１８の角度を調整することで、ラック１１５に載置された特定の二次電池モジュール１４０に冷却空気を当てることができる。つまり、ルーバー１１８の制御により、二次電池システム１００は、ラック１１５の高さ方向に並ぶ複数の二次電池モジュール１４０の１つを優先的に冷却することができる。また、二次電池システム１００がルーバー１１８を備えることで、スリット１１７の位置やサイズなどの製作誤差による二次電池モジュール１４０の温度のばらつきを解消することができる。なお、本実施形態における空調装置１２０及びルーバー１１８は、冷却装置の一例である。例えば、ルーバー１１８の代わりにスリット１１７から各二次電池モジュール１４０付近へ小型のダクトを配置し、特定の二次電池モジュールへ冷却空気を当てるようにダクトを選択する制御を行ってもよい。
【００２８】
ラック１１５は、複数段の棚部１１９を備える。ラック１１５の棚部１１９には、複数の二次電池モジュール１４０が棚部１１９の長手方向に一列に並んで載置される。二次電池モジュール１４０は、複数の電池セルが組み合わされて構成されたものである。二次電池モジュール１４０は、コンテナ１１０の側壁部１１２側から給気し、コンテナ１１０の中央部へ排気する送風ファン１４１を備える。つまり、二次電池モジュール１４０の送風ファン１４１は、コンテナ１１０の給気ダクト１１３から送風される冷却空気を給気することで、二次電池モジュール１４０を冷却する。なお、本実施形態における送風ファン１４１は、冷却部の一例である。このことから、二次電池システム１００は、複数の二次電池モジュール１４０の少なくとも１つに空気を送風する複数の冷却部を備えていることが分かる。また、このことから、複数の二次電池モジュール１４０が空調装置１２０によって冷却可能であることが分かる。
【００２９】
また、各二次電池モジュール１４０は、当該二次電池モジュール１４０を管理するＢＭＵ（Ｂａｔｔｅｒｙ  Ｍａｎａｇｅｍｅｎｔ  Ｕｎｉｔ）（図示せず）及び温度センサ（図示せず）を備える。ＢＭＵは、温度センサが計測した二次電池モジュール１４０の温度を制御盤１３０に送信する。本実施形態では、温度センサは二次電池モジュール１４０内の電池セル部分の温度を取得できる位置に設置される。
【００３０】
上記構成を有する二次電池システム１００は、スピニングリザーブや、自然エネルギー発電の出力平滑化など、様々な運用態様で用いることができる。また、二次電池システム１００が備える二次電池モジュール１４０の温度の上昇は、二次電池モジュール１４０の運用態様によって異なる。これに対し、本実施形態における二次電池システム１００の制御盤１３０は、二次電池モジュール１４０の温度変化に基づいて、運用態様に応じて二次電池モジュール１４０を冷却するよう、空調装置１２０を制御する。
【００３１】
なお、本実施形態に係る二次電池モジュール１４０は、リチウム二次電池の他に、鉛二次電池、ニッケル水素二次電池など特に限定されない。他方、発熱による二次電池モジュール１４０の劣化の管理の重要性から、本実施形態に係る制御を行う場合、二次電池モジュール１４０がリチウム二次電池である場合に、より大きな効果を得ることができる。
【００３２】
図２は、第１の実施形態に係る制御盤１３０の構成を示す概略ブロック図である。
制御盤１３０は、温度取得部２０１、温度記憶部２０２、第１の温度変化率算出部２０３、時間特定部２０４、第２の温度変化率算出部２０５、温度推定部２０６、冷却決定部２０７、冷却指示部２０８、保持時間判定部２０９を備える。
【００３３】
温度取得部２０１は、所定時間（例えば、１０秒）毎に二次電池モジュール１４０が備えるＢＭＵから、二次電池モジュール１４０の計測温度を取得する。ここで、二次電池モジュール１４０の個々の計測温度を取得するのが最も好ましいが、二次電池モジュール１４０の数量が多い場合は、冷却効果を考慮しほぼ同一な温度を示す複数の二次電池モジュールからなる区画単位での代表温度を用いてもよい。ここで代表温度は該当区画の中の二次電池の特性が温度として把握できればよく、各区画単位内での平均温度や最高温度、もしくは単に該当区画の特定二次電池の温度とする、などの手法を用いることができる。例えば複数の二次電池モジュール１４０を少なくとも１つの二次電池モジュール１４０で構成される複数のグループに振り分け、各グループそれぞれの計測温度を取得してもよい。
以降は、二次電池モジュール１４０の計測温度を取得することで説明する。また、温度取得部２０１は、取得した計測温度を、二次電池モジュール１４０の識別情報と取得時刻とに関連付けて、温度記憶部２０２に記録する。
温度記憶部２０２は、二次電池モジュール１４０の識別情報及び時刻に関連付けて、当該二次電池モジュール１４０の当該時刻における計測温度を記憶する。
【００３４】
第１の温度変化率算出部２０３は、温度記憶部２０２を参照して、所定の第１の時間の間における二次電池モジュール１４０の温度変化率（第１の温度変化率）を算出する。なお、本実施形態において第１の温度変化率は、第１の物理量の一例であり、第１の温度変化率算出部２０３は、第１の物理量算出部の一例である。第１の時間とは、その間における二次電池モジュール１４０の温度変化率に基づいて、二次電池モジュール１４０の運用態様を推定することができる時間である。例えば、第１の時間の間における二次電池モジュール１４０の温度変化率が大きい場合、二次電池モジュール１４０の運用態様が、スピニングリザーブなど短時間に大きな電力を出力する運用態様であることがわかる。他方、第１の時間の間における二次電池モジュール１４０の温度変化率が小さい場合、二次電池モジュール１４０の運用態様が、自然エネルギー発電の出力平滑化など小さな電力を長時間に亘って出力する運用態様であることが分かる。なお、本実施形態では、第１の時間の初期値として３０秒を用いる。
【００３５】
時間特定部２０４は、第１の温度変化率に基づいて、二次電池モジュール１４０の温度変化率を算出するのに適切な評価時間を、第２の時間として特定する。これは、二次電池モジュール１４０の温度変化率を算出するのに適切な評価時間が運用態様によって異なるためである。例えば、二次電池モジュール１４０の運用態様が短時間に大きな電力を出力する運用態様である場合、評価時間が長すぎると、その評価時間の間に充放電が終わってしまい、温度変化率を適切に算出できない可能性がある。他方、二次電池モジュール１４０の運用態様が小さな電力を長時間に亘って出力する運用態様である場合、評価時間が短すぎると、実際の温度変化率に対して相対的に温度センサのノイズが大きくなってしまい、温度変化率を適切に算出できない可能性がある。
【００３６】
図３は、時間特定部２０４が第２の時間の特定に用いる関数の一例を示す図である。
そのため、時間特定部２０４は、図３に示すような、第１の温度変化率に対して単調非増加となる評価時間を特定する関数を用いて、第２の時間を特定する。つまり、温度変化率が大きいほど、時間特定部２０４が特定する第２の時間は短くなり、温度変化率が小さいほど、時間特定部２０４が特定する第２の時間は長くなる。なお、本実施形態では、時間特定部２０４は第２の時間を特定するための関数として、負の傾きを有する一次関数を用いるが、他の実施形態では、評価時間が第１の温度変化率に対して単調非増加となるステップ関数や、第１の温度変化率と評価時間とが反比例する関数など、その他の単調非増加関数を用いても良い。
【００３７】
第２の温度変化率算出部２０５は、温度記憶部２０２を参照して、第２の時間の間における二次電池モジュール１４０の温度変化率（第２の温度変化率）を算出する。なお、本実施形態において第２の温度変化率は、第２の物理量の一例であり、第２の温度変化率算出部２０５は、第２の物理量算出部の一例である。
温度推定部２０６は、温度記憶部２０２が記憶する現在の二次電池モジュール１４０の温度と第２の温度変化率とに基づいて、第３の時間後の各二次電池モジュール１４０の温度を推定する。本実施形態において第３の時間とは、冷却制御をせずに二次電池モジュール１４０の運用を継続することで、二次電池モジュール１４０の温度が劣化が進行する温度に到達し得る時間である。本実施形態では、第３の時間として、１時間を用いる。
【００３８】
なお、本実施形態では第３の時間が定数である場合について説明するが、これに限られない。例えば、他の実施形態において二次電池モジュール１４０の運用態様がスピニングリザーブの目的の運用である場合、二次電池モジュール１４０の充電継続可能時間または二次電池モジュール１４０の放電継続可能時間を第３の時間としても良い。充電継続可能時間とは、二次電池モジュール１４０の現在の容量と最大許容容量の差の電気量をスピニングリザーブに要求される充電レートで除算し、これにシステム効率を乗算して得られる時間である。また、放電継続可能時間とは、二次電池モジュール１４０の現在の容量と最小許容容量の差の電気量をスピニングリザーブに要求される放電レートで除算し、これにシステム効率を乗算して得られる時間である。
【００３９】
冷却決定部２０７は、温度推定部２０６が推定した第３の時間経過後の温度が最も高い二次電池モジュール１４０の空調装置１２０による冷却対象優先度を、他の二次電池モジュール１４０より高くする。ここで、例えば複数の二次電池モジュール１４０を少なくとも１つの二次電池モジュール１４０で構成される複数のグループに振り分け、各グループそれぞれの計測温度を取得する場合は、温度が最も高いグループに対応する空調装置１２０による冷却対象優先度を、他のグループより高くするようにしてもよい。
冷却指示部２０８は、冷却対象優先度が高い二次電池モジュール１４０を冷却するよう、ルーバー１１８を制御する指示を、空調装置１２０に出力する。
保持時間判定部２０９は、冷却指示部２０８による指示の時刻から所定の保持時間が経過したか否かを判定する。なお、本実施形態において保持時間とは、冷却対象優先度が最も高いと判定された二次電池モジュール１４０の冷却を継続する最低限の時間である。
【００４０】
次に、第１の実施形態に係る制御盤１３０による冷却制御動作について説明する。
二次電池モジュール１４０の運用が開始されると、制御盤１３０の温度取得部２０１は、複数の二次電池モジュール１４０のうち少なくとも２つ以上の二次電池モジュール１４０から計測温度を取得し、二次電池モジュール１４０の識別情報と現在時刻とを関連付けて当該温度を温度記憶部２０２に記録する。温度取得部２０１は、この処理を所定時間（例えば、１０秒）ごとに繰り返し実行する。
【００４１】
図４は、第１の実施形態に係る制御盤１３０による冷却制御動作を示すフローチャートである。
温度取得部２０１による温度の記録により、温度記憶部２０２が記憶する温度が、第２の時間になり得る最大の時間以上蓄積されると、第１の温度変化率算出部２０３は、温度記憶部２０２から、現在時刻に関連付けられた各二次電池モジュール１４０の温度と、現在時刻より第１の時間前の時刻に関連付けられた各二次電池モジュール１４０の温度とを読み出す（ステップＳ４０１）。次に、第１の温度変化率算出部２０３は、各二次電池モジュール１４０の現在時刻の温度と第１の時間前の温度の差を第１の時間で除算することで、各二次電池モジュール１４０の第１の温度変化率を算出する（ステップＳ４０２）。
【００４２】
次に、時間特定部２０４は、各二次電池モジュール１４０の第１の温度変化率のうち最も大きいものを図３に示す単調非増加関数に代入することで、評価時間である第２の時間を特定する（ステップＳ４０３）。つまり、時間特定部２０４は、第１の物理量算出部が二次電池モジュール１４０それぞれから同じタイミングで取得した第１の温度変化率のうち最大のものを用いて、第２の時間を特定する。これにより、時間特定部２０４は、最も発熱量が多い二次電池モジュール１４０、つまりワーストケースを基準に第２の時間を特定することができる。なお、本実施形態では、時間特定部２０４が各二次電池モジュール１４０の第１の温度変化率のうち最も大きいものを用いて第２の時間を特定する場合について説明したが、これに限られない。例えば、他の実施形態では、時間特定部２０４は、各二次電池モジュール１４０について第１の温度変化率を異なるタイミングで複数算出し、各二次電池モジュール１４０の第１の温度変化率の平均値のうち最大のものを用いて第２の時間を特定しても良い。また、他の実施形態では、時間特定部２０４が各二次電池モジュール１４０の第１の温度変化率の平均値や中央値を用いて第２の時間を特定しても良い。
【００４３】
次に、第２の温度変化率算出部２０５は、温度記憶部２０２から、現在時刻に関連付けられた各二次電池モジュール１４０の温度と、現在時刻より第２の時間前の時刻に関連付けられた各二次電池モジュール１４０の温度とを読み出す（ステップＳ４０４）。次に、第２の温度変化率算出部２０５は、各二次電池モジュール１４０の現在時刻の温度と第２の時間前の温度の差を第２の時間で除算することで、各二次電池モジュール１４０の第２の温度変化率を算出する（ステップＳ４０５）。
【００４４】
次に、温度推定部２０６は、温度記憶部２０２から、現在時刻に関連付けられた各二次電池モジュール１４０の温度を読み出す（ステップＳ４０６）。次に、温度推定部２０６は、各二次電池モジュール１４０の現在時刻の温度に、第２の温度変化率算出部２０５が算出した各二次電池モジュール１４０の温度変化率に第３の時間を乗算して得られる温度を加算することで、各二次電池モジュール１４０の第３の時間後の温度を推定する（ステップＳ４０７）。
【００４５】
次に、冷却決定部２０７は、複数の二次電池モジュール１４０のうち、温度推定部２０６が推定した第３の時間後の温度が最も高い二次電池モジュール１４０の冷却対象優先度を、他の二次電池モジュール１４０の冷却対象優先度より高い値に決定する（ステップＳ４０８）。本実施形態では、第３の時間後の温度が最も高い二次電池モジュール１４０の冷却対象優先度を１とし、他の二次電池モジュール１４０の冷却対象優先度を０とする。次に、冷却指示部２０８は、冷却空気の供給方向が冷却対象優先度の最も高い二次電池モジュール１４０の方向へ向くように、コンテナ１１０のルーバー１１８を制御することを、空調装置１２０に指示する（ステップＳ４０９）。これにより、制御盤１３０は、ラック１１５に載置された特定の二次電池モジュール１４０に冷却空気が当たるように空調装置１２０を制御することができる。
【００４６】
冷却指示部２０８がルーバー１１８の制御を空調装置１２０に指示すると、保持時間判定部２０９は、経過時間の計時を開始する。そして、保持時間判定部２０９は、冷却指示部２０８による指示の時刻から所定の保持時間が経過したか否かを判定する（ステップＳ４１０）。
【００４７】
保持時間判定部２０９は、保持時間が経過していないと判定した場合（ステップＳ４１０：ＮＯ）、管理者などによる操作や割り込み処理などにより、外部から処理の終了要求を入力したか否かを判定する（ステップＳ４１１）。保持時間判定部２０９は、外部から終了要求を入力していないと判定した場合（ステップＳ４１１：ＮＯ）、ステップＳ４１０に戻り、保持時間の経過の判定を実行する。他方、保持時間判定部２０９は、外部から終了要求を入力したと判定した場合（ステップＳ４１１：ＹＥＳ）、処理を終了する。
【００４８】
他方、保持時間判定部２０９が、保持時間が経過したと判定した場合（ステップＳ４１０：ＹＥＳ）、ステップＳ４０１に戻る。これにより、冷却決定部２０７は、冷却指示部２０８が冷却装置に冷却対象優先度の最も高い二次電池モジュール１４０の冷却を指示した後の保持時間経過後に、再度、二次電池モジュール１４０の冷却装置による冷却対象優先度を決定する。
【００４９】
ここで、本実施形態に係る制御盤１３０による冷却対象優先度の決定方法を、具体的な例を用いて説明する。
図５は、第１の実施形態に係る制御盤１３０による冷却対象優先度の決定方法の一例を示す図である。図５に示す例では、二次電池システム１００は、３つの二次電池モジュール１４０Ａ〜１４０Ｃを備える。そして、制御盤１３０は、二次電池モジュール１４０Ａ〜Ｃの冷却対象優先度を決定する。
【００５０】
図５に示す例によれば、現在時刻における二次電池モジュール１４０の温度は、二次電池モジュール１４０Ａ、二次電池モジュール１４０Ｂ、二次電池モジュール１４０Ｃの順に高い。つまり、現在時刻において、温度が最も高い二次電池モジュール１４０は、二次電池モジュール１４０Ａである。ここで、制御盤１３０は、ステップＳ４０１〜ステップＳ４０５により、現在時刻より第２の時間だけ過去の時刻の二次電池モジュール１４０の温度に基づいて、各二次電池モジュール１４０の温度変化率（第２の温度変化率）を算出する。そして、制御盤１３０は、ステップＳ４０６、Ｓ４０７により、当該温度変化率に基づいて、第３の時間後の各二次電池モジュール１４０の温度を推定する。
【００５１】
図５に示す例によれば、現在時刻から第３の時間後の時刻における二次電池モジュール１４０の温度は、二次電池モジュール１４０Ｃ、二次電池モジュール１４０Ｂ、二次電池モジュール１４０Ａの順に高い。つまり、現在時刻から第３の時間後の時刻において、温度が最も高い二次電池モジュール１４０は、二次電池モジュール１４０Ｃである。そのため、制御盤１３０は、二次電池モジュール１４０Ｃの冷却対象優先度を二次電池モジュール１４０Ａ、１４０Ｂの冷却対象優先度より高い値に設定する。
これにより、本実施形態に係る制御盤１３０は、将来的に高温になる蓋然性が高い二次電池モジュール１４０を優先的に冷却することができる。
【００５２】
また、本実施形態に係る制御盤１３０は、第１の時間の間における二次電池モジュール１４０の温度変化率である第１の温度変化率に基づいて二次電池モジュール１４０の運用態様に応じた第２の時間を特定する。そして、制御盤１３０は、第２の時間を用いて算出した第２の温度変化率に基づいて二次電池モジュール１４０の冷却対象優先度を決定する。これにより制御盤１３０は、二次電池モジュール１４０の運用態様に応じて二次電池モジュール１４０の冷却を制御することができる。
【００５３】
《第２の実施形態》
次に、第２の実施形態について説明する。
第２の実施形態に係る制御盤６３０は、二次電池モジュール１４０の運用態様の入力を受け付け、当該運用態様に応じて二次電池モジュール１４０の冷却を制御する。
【００５４】
図６は、第２の実施形態に係る制御盤６３０の構成を示す概略ブロック図である。
第２の実施形態に係る制御盤６３０は、第１の実施形態の構成に加え、態様入力部６１０、関数記憶部６１１、時間決定部６１２をさらに備え、時間特定部６０４及び第２の温度変化率算出部６０５の動作が第１の実施形態と異なるものである。なお、第２の実施形態の構成のうち、第１の実施形態と同じ構成であるものについては、第１の実施形態と同じ符号を用いて説明する。
【００５５】
態様入力部６１０は、二次電池システム１００の管理者から二次電池モジュール１４０の運用態様の入力を受け付ける。本実施形態では、態様入力部６１０は、制御盤６３０のディスプレイに二次電池モジュール１４０の運用態様の選択肢を表示させ、管理者から当該選択肢の選択の入力を受け付けることで、運用態様の入力を受け付ける。また、本実施形態では、スピニングリザーブと自然エネルギー発電の出力平滑化を二次電池モジュール１４０の運用態様の選択肢とする。なお、態様入力部６１０は、二次電池モジュール１４０の運用態様がスピニングリザーブを目的とする運用である場合、スピニングリザーブで要求される充放電レートの入力も受け付ける。
【００５６】
関数記憶部６１１は、二次電池モジュール１４０の運用態様に関連付けて、時間特定部６０４が第２の時間を特定するための関数を記憶する。なお、関数記憶部６１１が記憶する複数の関数は、いずれも第１の温度変化率に対して単調非増加する関数である。本実施形態では、スピニングリザーブに関連付けられた関数の傾きは、自然エネルギー発電の出力平滑化に関連付けられた関数の傾きより大きい。これは、スピニングリザーブの目的で二次電池システム１００を運用する場合、充放電する電気量が大きく、できるだけ短い時間で制御することが好ましいためである。また、自然エネルギー発電の出力平滑化の目的で二次電池システム１００を運用する場合、充放電する電気量が小さいために温度センサによる温度検出の誤差が第２の温度変化率の算出に影響しやすく、できるだけ長い時間で制御することが好ましいためである。
【００５７】
時間決定部６１２は、二次電池モジュール１４０の運用態様に応じて第３の時間を決定する。具体的には、時間決定部６１２は、二次電池モジュール１４０の運用態様がスピニングリザーブの目的の運用である場合、二次電池モジュール１４０の充電継続可能時間または二次電池モジュール１４０の放電継続可能時間を第３の時間とする。また、時間決定部６１２は、二次電池モジュール１４０の運用態様が自然エネルギー発電の出力平滑化の目的の運用である場合、第３の時間として例えば、１時間を用いる。
【００５８】
次に、第２の実施形態に係る制御盤６３０による冷却制御動作について説明する。
二次電池モジュール１４０の運用が開始されると、制御盤６３０の温度取得部２０１は、複数の二次電池モジュール１４０それぞれから計測温度を取得し、二次電池モジュール１４０の識別情報と現在時刻とに関連付けて当該温度を温度記憶部２０２に記録する。温度取得部２０１は、この処理を所定時間（例えば、１０秒）ごとに繰り返し実行する。
【００５９】
図７は、第２の実施形態に係る制御盤６３０による冷却制御動作を示すフローチャートである。なお、第２の実施形態に係る手順のうち、第１の実施形態と同じものについては、第１の実施形態と同じ符号を用いて説明する。
まず、態様入力部６１０は、二次電池システム１００の管理者から、二次電池モジュール１４０の運用態様の入力を受け付ける（ステップＳ７０１）。次に、時間特定部６０４は、関数記憶部６１１から、態様入力部６１０に入力された運用態様に関連付けられた関数を読み出す（ステップＳ７０２）。次に、時間決定部６１２は、態様入力部６１０に入力された運用態様に基づいて、第３の時間を決定する（ステップＳ７０３）。
【００６０】
温度取得部２０１による温度の記録により、温度記憶部２０２が記憶する温度が、第２の時間になり得る最大の時間以上蓄積されると、第１の温度変化率算出部２０３は、温度記憶部２０２から、現在時刻に関連付けられた各二次電池モジュール１４０の温度と、現在時刻より第１の時間前の時刻に関連付けられた各二次電池モジュール１４０の温度とを読み出す（ステップＳ４０１）。次に、第１の温度変化率算出部２０３は、各二次電池モジュール１４０の現在時刻の温度と第１の時間前の温度の差を第１の時間で除算することで、各二次電池モジュール１４０の第１の温度変化率を算出する（ステップＳ４０２）。
【００６１】
次に、時間特定部６０４は、各二次電池モジュール１４０の第１の温度変化率のうち最も大きいものを、ステップＳ７０２で読み出した関数に代入することで、評価時間である第２の時間を特定する（ステップＳ７０４）。次に、第２の温度変化率算出部６０５は、温度記憶部２０２から、現在時刻に関連付けられた各二次電池モジュール１４０の温度と、現在時刻より第２の時間前の時刻に関連付けられた各二次電池モジュール１４０の温度とを読み出す（ステップＳ４０４）。次に、第２の温度変化率算出部６０５は、各二次電池モジュール１４０の現在時刻の温度と第２の時間前の温度の差を第２の時間で除算することで、各二次電池モジュール１４０の第２の温度変化率を算出する（ステップＳ４０５）。
【００６２】
次に、温度推定部２０６は、温度記憶部２０２から、現在時刻に関連付けられた各二次電池モジュール１４０の温度を読み出す（ステップＳ４０６）。次に、温度推定部２０６は、第２の温度変化率算出部６０５が算出した各二次電池モジュール１４０の温度変化率にステップＳ７０３で決定した第３の時間を乗算して得られる温度を、各二次電池モジュール１４０の現在時刻の温度に加算することで、各二次電池モジュール１４０の第３の時間後の温度を推定する（ステップＳ７０５）。
【００６３】
次に、冷却決定部２０７は、複数の二次電池モジュール１４０のうち、温度推定部２０６が推定した第３の時間後の温度が最も高い二次電池モジュール１４０の冷却対象優先度を、他の二次電池モジュール１４０の冷却対象優先度より高い値に決定する（ステップＳ４０８）。次に、冷却指示部２０８は、冷却空気の供給方向が冷却対象優先度の最も高い二次電池モジュール１４０の方向へ向くように、コンテナ１１０のルーバー１１８を制御することを、空調装置１２０に指示する（ステップＳ４０９）。
【００６４】
冷却指示部２０８がルーバー１１８の制御を空調装置１２０に指示すると、保持時間判定部２０９は、経過時間の計時を開始する。そして、保持時間判定部２０９は、冷却指示部２０８による指示の時刻から所定の保持時間が経過したか否かを判定する（ステップＳ４１０）。
【００６５】
保持時間判定部２０９は、保持時間が経過していないと判定した場合（ステップＳ４１０：ＮＯ）、外部から処理の終了要求を入力したか否かを判定する（ステップＳ４１１）。保持時間判定部２０９は、外部から終了要求を入力していないと判定した場合（ステップＳ４１１：ＮＯ）、ステップＳ４１０に戻り、保持時間の経過の判定を実行する。他方、保持時間判定部２０９は、外部から終了要求を入力したと判定した場合（ステップＳ４１１：ＹＥＳ）、処理を終了する。
【００６６】
他方、保持時間判定部２０９が、保持時間が経過したと判定した場合（ステップＳ４１０：ＹＥＳ）、ステップＳ４０１に戻る。
【００６７】
このように、本実施形態に係る制御盤６３０は、二次電池モジュール１４０の運用態様の入力を受け付け、第２の時間及び第３の時間を入力された運用態様に基づいて決定する。これにより、本実施形態に係る制御盤６３０は、第１の実施形態と比較して、二次電池モジュール１４０の運用態様により適した冷却制御を行うことができる。
【００６８】
なお、本実施形態では、態様入力部６１０が入力を受け付ける運用態様が２種類である場合について説明したが、これに限られず、他の実施形態では、態様入力部６１０が３以上の運用態様の入力を受け付けても良い。
【００６９】
《第３の実施形態》
次に、第３の実施形態について説明する。
第３の実施形態に係る制御盤８３０は、上述したステップＳ４０１〜Ｓ４０９の手順で二次電池モジュール１４０の冷却が不十分である場合や過剰である場合、速やかに次の冷却制御を行う
。
【００７０】
図８は、第３の実施形態に係る制御盤８３０の構成を示す概略ブロック図である。
第３の実施形態に係る制御盤８３０は、第１の実施形態の構成に加え、時間変更部８１０をさらに備えるものである。なお、第３の実施形態の構成のうち、第１の実施形態と同じ構成であるものについては、第１の実施形態と同じ符号を用いて説明する。
【００７１】
時間変更部８１０は、第２の温度変化率算出部２０５が算出した温度変化率が、所定の温度変化率許容範囲外である場合に、第１の時間及び保持時間をより短い時間に変更する。つまり、時間変更部８１０は、第２の温度変化率が温度変化率許容範囲の上限値より大きい場合、及び第２の温度変化率が温度変化率許容範囲の下限値より小さい場合に、第１の時間をより短い時間に変更する。なお、本実施形態において、温度変化率許容範囲の上限値及び下限値は、物理量閾値の一例である。
【００７２】
つまり、時間変更部８１０は、二次電池モジュール１４０の冷却が不十分であるために第２の温度変化率が過大である場合、及び二次電池モジュール１４０の冷却が過剰であるために第２の温度変化率が過小である場合（例えば、第２の温度変化率が負数である場合）に、第１の時間及び保持時間を短い時間に変更する。例えば、ある時刻における制御に用いた第１の時間及び保持時間が３０秒であった場合において、第２の温度変化率が温度変化率許容範囲外になったときに、時間変更部８１０は、第１の時間及び保持時間を１５秒に変更する。
【００７３】
これにより、第３の実施形態に係る制御盤８３０は、二次電池モジュール１４０の冷却が不十分である場合や過剰である場合、速やかに次の冷却制御を行うことができる。
【００７４】
《第４の実施形態》
次に、第４の実施形態について説明する。
第４の実施形態に係る制御盤９３０は、空調装置１２０へのルーバー１１８の制御指示に加え、二次電池モジュール１４０のＢＭＵへの送風ファン１４１の制御指示を出力することで、より効率的に二次電池モジュール１４０の冷却を制御する。
【００７５】
図９は、第４の実施形態に係る制御盤９３０の構成を示す概略ブロック図である。
第４の実施形態に係る制御盤９３０は、第１の実施形態と冷却指示部９０８の動作が異なるものである。なお、第４の実施形態の構成のうち、第１の実施形態と同じ構成であるものについては、第１の実施形態と同じ符号を用いて説明する。
【００７６】
冷却指示部９０８は、空調装置１２０へのルーバー１１８の制御指示に加え、二次電池モジュール１４０のＢＭＵへの送風ファン１４１の制御指示を出力する。冷却指示部９０８は、他の二次電池モジュール１４０に設けられた送風ファン１４１より多い送風量で送風させる指示を、冷却対象優先度が最も高い二次電池モジュール１４０に設けられたＢＭＵに出力する。これにより、冷却対象優先度が最も高い二次電池モジュール１４０を冷却する送風ファン１４１は、他の送風ファン１４１より多い送風量で二次電池モジュール１４０へ送風する。
【００７７】
このように、第４の実施形態に係る二次電池システム１００は、ルーバー１１８の制御により、冷却対象優先度が高い二次電池モジュール１４０が載置された棚部１１９に向けて冷却空気を送風することができ、さらに送風ファン１４１の制御により、冷却対象優先度が最も高い二次電池モジュール１４０への冷却空気の送風量を多くすることができる。
【００７８】
《第５の実施形態》
第５の実施形態に係る二次電池システム１００は、冷却空気を供給する給気ダクト１１３を１つのラック１１５に対して複数備え、それぞれの給気ダクト１１３に設けられたルーバー１１８を、二次電池モジュール１４０の温度に応じて制御する。
【００７９】
図１０は、第５の実施形態に係る制御盤１０３０の構成を示す概略ブロック図である。
第５の実施形態に係る制御盤１０３０は、第１の実施形態と冷却決定部１００７及び冷却指示部１００８の動作が異なるものである。なお、第５の実施形態の構成のうち、第１の実施形態と同じ構成であるものについては、第１の実施形態と同じ符号を用いて説明する。
【００８０】
冷却決定部１００７は、温度推定部２０６が推定した第３の時間後の各二次電池モジュール１４０の温度に基づいて、第３の時間後の二次電池モジュール１４０の温度の平均値を算出する。そして、冷却決定部１００７は、温度推定部２０６が推定した第３の時間後の温度から当該平均値を減じた値が所定の温度閾値より高い二次電池モジュール１４０の冷却対象優先度を、他の二次電池モジュール１４０の冷却対象優先度より高い値に決定する。具体的には、冷却決定部１００７は、温度推定部２０６が推定した第３の時間後の温度から当該平均値を減じた値が温度閾値以下の二次電池モジュール１４０の冷却対象優先度を０にする。他方、冷却決定部１００７は、温度推定部２０６が推定した第３の時間後の温度から当該平均値を減じた値が温度閾値より大きい二次電池モジュール１４０の冷却対象優先度を、平均値との差の値に応じた値にする。
【００８１】
冷却指示部１００８は、冷却空気の供給方向が冷却対象優先度が０でない二次電池モジュール１４０の方向へ向くように、コンテナ１１０のルーバー１１８を制御することを、空調装置１２０に指示する。このとき、冷却対象優先度が０でない二次電池モジュール１４０の数が制御可能なルーバー１１８の数より多い場合、冷却指示部１００８は、冷却対象優先度が上位の二次電池モジュール１４０へ冷却空気が向くようにルーバー１１８を制御する。また、冷却対象優先度が０でない二次電池モジュール１４０の数が制御可能なルーバー１１８の数より少ない場合、冷却指示部１００８は、２つ以上のスリット１１７から供給される冷却空気が、冷却対象優先度が上位の二次電池モジュール１４０へ向くようにルーバー１１８を制御する。
【００８２】
以上、図面を参照していくつかの実施形態について詳しく説明してきたが、具体的な構成は上述のものに限られることはなく、様々な設計変更等をすることが可能である。
例えば、上述した実施形態では、空調装置１２０が冷却空気を供給する場合について説明したが、他の実施形態では、空調装置１２０は例えば常温の空気を送風するものであっても良い。
【００８３】
また、上述した実施形態では、温度の変化に係る物理量として温度変化率を用いる場合について説明したが、他の実施形態では、制御盤１０３０は、温度変化量や温度変化率の微分値等、他の物理量を用いても良い。また、他の実施形態では、制御盤１０３０は、第１の物理量と第２の物理量とで異なる種類の物理量を用いても良い。例えば、他の実施形態に係る制御盤１０３０は、第１の物理量を温度変化量とし、第２の物理量を温度変化率としても良い。
【００８４】
図１１は、少なくとも１つの実施形態に係るコンピュータ１１００の構成を示す概略ブロック図である。
コンピュータ１１００は、ＣＰＵ１１０１、主記憶装置１１０２、補助記憶装置１１０３、インタフェース１１０４を備える。
上述の制御盤（例えば、制御盤１３０、６３０、８３０、９３０、１０３０）は、コンピュータ１１００に実装される。そして、上述した各処理部の動作は、プログラムの形式で補助記憶装置１１０３に記憶されている。ＣＰＵ１１０１は、プログラムを補助記憶装置１１０３から読み出して主記憶装置１１０２に展開し、当該プログラムに従って上記処理を実行する。また、ＣＰＵ１１０１は、プログラムに従って、上述した温度記憶部２０２や関数記憶部６１１に対応する記憶領域を主記憶装置１１０２に確保する。
【００８５】
なお、少なくとも１つの実施形態において、補助記憶装置１１０３は、一時的でない有形の媒体の一例である。一時的でない有形の媒体の他の例としては、インタフェース１１０４を介して接続される磁気ディスク、光磁気ディスク、ＣＤ−ＲＯＭ、ＤＶＤ−ＲＯＭ、半導体メモリ等が挙げられる。また、このプログラムが通信回線によってコンピュータ１１００に配信される場合、配信を受けたコンピュータ１１００が当該プログラムを主記憶装置１１０２に展開し、上記処理を実行しても良い。
【００８６】
また、当該プログラムは、前述した機能の一部を実現するためのものであっても良い。さらに、当該プログラムは、前述した機能を補助記憶装置１１０３に既に記憶されている他のプログラムとの組み合わせで実現するもの、いわゆる差分ファイル（差分プログラム）であっても良い。
【００８７】
なお、本明細書中における「第１」、「第２」などの序数は、構成要素同士を区別するために用いられており、順序または重要性を示唆するものではない。
【符号の説明】
【００８８】
１００…二次電池システム  １１０…コンテナ  １１１…天井部  １１２…側壁部  １１３…給気ダクト  １１４…排気ダクト  １１５…ラック  １１６…隙間  １１７…スリット  １１８…ルーバー  １１９…棚部  １２０…空調装置  １３０…制御盤  １４０…二次電池モジュール  １４１…送風ファン  ２０１…温度取得部  ２０２…温度記憶部  ２０３…第１の温度変化率算出部  ２０４…時間特定部  ２０５…第２の温度変化率算出部  ２０６…温度推定部  ２０７…冷却決定部  ２０８…冷却指示部  ２０９…保持時間判定部  ６３０…制御盤  ６０４…時間特定部  ６０５…第２の温度変化率算出部  ６１０…態様入力部  ６１１…関数記憶部  ６１２…時間決定部  ８１０…時間変更部  ８３０…制御盤  ９３０…制御盤  ９０８…冷却指示部  １０３０…制御盤  １００７…冷却決定部  １００８…冷却指示部  １１００…コンピュータ  １１０１…ＣＰＵ  １１０２…主記憶装置  １１０３…補助記憶装置  １１０４…インタフェース
【図１】
2015056373.tif 000003
【図２】
2015056373.tif 000004
【図３】
2015056373.tif 000005
【図４】
2015056373.tif 000006
【図５】
2015056373.tif 000007
【図６】
2015056373.tif 000008
【図７】
2015056373.tif 000009
【図８】
2015056373.tif 000010
【図９】
2015056373.tif 000011
【図１０】
2015056373.tif 000012
【図１１】
2015056373.tif 000013